(57)【要約】      （修正有）【課題】人体を必要以上に締め付けることなく、骨盤の歪みを修正或いは矯正して整体機能を生じさせるようにしたフィットショーツを提供する。【解決手段】表布と、裏打ち布と、股下となるマチ布とを縫い合わせて構成し、少なくとも裏打ち上下布はレース、パワーネットなどの伸縮性を備え、前記表布と重ねて上下端縁にレース布を縫い合わされて装飾し、夫々の端部を前部及び後部の中央部にて縫合して構成している。【選択図】図６
0003170321.tif 000002
【実用新案登録請求の範囲】
【請求項１】
表布と裏打ち布と、股下となるマチ布とを縫い合わせて構成し、少なくとも裏打ち布はレース、パワーネットなどの伸縮性を備え、上布、下布からなり、前記表布と重ねて上下端縁にレース布と縫い合わされて装飾し、夫々の端部を前部及び後部の中央部にて縫合して構成したことを特徴としてなるフィットショーツ。
【請求項２】
前記表布と裏打ち上布は、後部において縫い合され、その縫い合わせの上端点ｎを上下縫い合わせの中央点ｃより上方になるよう配置したことを特徴としてなる前記請求項１記載のフィットショーツ。
【請求項３】
前記裏打ち上布は、Ｔ字状にして頂縁辺は中央部より両側に高くなるように延び、側縁辺は円弧状に窪んで対称的になり、前記頂縁辺と側縁辺との連結縁辺は外向きの下向きに拡がりを有してなることを特徴とした前記請求項１及び２記載のフィットショーツ。
【請求項４】
前記裏打ち上布、及び前記裏打ち下布は、前記表布に比し伸縮性を大きくしたことを特徴とせる前記請求項１乃至３のフィットショーツ。
【考案の詳細な説明】
【技術分野】
【０００１】  本考案は、人体を必要以上に締め付けることなく、柔らかくフィットするショーツにおいて、骨盤の歪みを修正或いは矯正して整体機能を持たせるようにしたフィットショーツの改良に関する。【０００２】  従来から知られている一般的な骨盤補正ショーツは、人体の骨盤脇から、後方ウエスト部分にかけておさえており、股関節から骨盤にかけての部分を押えることが出来ていない方式がとられているものとして、特願２００２−２７５９７１、特願２００２−１６６１６６がある。【０００３】  また、人体の骨盤の緊蹄に合わせて骨盤の位置より高い位置の腹部をおさえてしまう方式をとるものとして、実願２０１０−５８２６、実願２００９−６４７３、実願２００８−６３５０、実願２００７−１４１６、実願２００６−８２９６などがあげられる。
【考案の開示】
【考案が解決しようとする課題】
【０００４】  上記従来技術のフィット式のショーツは、骨盤脇から後方ウエスト部分方向に押さえられ、股関節から骨盤にかけての部分を押さえることが出来ていないので、骨盤の安定力を充分に確保できない欠点があった。【０００５】  更に、骨盤を充分に押さえることにより、骨盤の位置より上方の腹部を押さえてしまうようになり、骨盤を安定させる機能は期待できないこととなっていた。【０００６】  本考案は、上記のような課題を解決し、ショーツの人体への装着時に体を必要以上に締め付けることなく、柔らかく体にフィットするショーツを提供しそれにより、骨盤のゆがみを矯正する機能を持たせるようにしたものである。
【課題を解決するための手段】
【０００７】  本考案は、表布と裏打ち布と、股下となるマチ布とを縫い合わせて構成し、少なくとも裏打ち布は、パワーネットなどからなる伸縮材であって、上布、下布からなり、前記表布と裏打ち布は重ねて上下端縁を縫い合わされて、夫々の端部を前部及び後部の中央部にて縫合したことを特徴とする。【０００８】  更に、前記表布と裏打ち下布は、前部において縫い合わされ、その縫い合わせの上端点ｎを上下縫い合わせの中央点ｃより上方になるよう配置したことを特徴としている。【０００９】  また、前記裏打ち上布は、Ｔ字状にして頂縁辺は中央部より両側に高くなるように延び、側縁辺は円弧状に窪んで対称的なり、前記頂縁辺と側縁辺との連結縁辺は外向きの下向きに拡がりを有してなることを特徴としている。【００１０】  また、裏打ち上布及び前記裏打ち下布は、前記表布に比し伸縮性を大きくしたことを特徴としている。
【考案の効果】
【００１１】  本考案のフィットショーツは、表布と裏打ち上布と、マチ布とを縫い合わせて構成し、少なくとも裏打ち布はパワーネットなどの伸縮性を備えて上布、下布からなり、前記表布と裏打ち布は重ねて上下端縁を縫合して縫い合わされて、夫々の端部を前部及び後部の中央部にて縫合して構成したので、人体に装着することにより、人体の余分な箇所に異常な圧力が加わることなく、骨盤に万遍な圧力が働き骨盤のゆがみの矯正を行うことが出来る。【００１２】  前記表布と裏打ち下布は、前部において縫い合わされ、その縫い合わせの上端点ｎを上下縫い合わせの中央点ｃより上方になるよう配置しているので、着用時には使用者は長時間に亘り異常な締め付けがなく、必要以外の部分は極力柔らかく仕上げ、骨盤のサポートに必要な部分には、充分な締め付けを行って、骨盤のゆがみを矯正することが出来る。【００１３】  前記裏打ち上布は、Ｔ字状にして頂縁辺は中央部より両側に高くなるように延び、側縁辺は円弧状に窪んで対称的になり、前記頂縁辺と側縁辺との連結縁辺は外向きの下向きに拡がりを有しているので、人体に着用したときにはショーツが腰部に巻きつくように装着して骨盤の安定をはかる。【００１４】  前記裏打ち上布、裏打ち下布は、前記表布に比べて弾性を大きくしているので、装着時における人体の動きを阻害することなく骨盤の矯正を行うことを可能にする。
【考案を実施するための最良の形態】
【００１５】  本考案のフィットショーツを、図１乃至図６に基づいて説明する。
図１は、本考案のショーツの正面図、図２は、同じく背面図、図３は、表布に裏打ち上布を重ね更に裏打ち下布を重ねた図、図４は後ろ中心で解体した図で前記図３に相当し矢印方向により裏打ち布の引き締め方向を示している。図５は、表布、裏打ち布上、下の分解図、図６は、前記図１に説明を加えた図である。【００１６】  本考案は、フィット方式のショーツに係るものであって、表布１と、裏打ち上布２と、裏打ち下布３と、股下となるマチ布４とから構成される。表布１、裏打ち布２，３は共に伸縮性の有するレース、パワーネットなどにより構成され、表布１に比し裏打ち布２，３の伸縮度を大きくなるようにしている。【００１７】  前記表布１は、レース、パワーネット地などで梯形状に裁断され、両側を縫い合わせ縁としている。【００１８】  前記裏打ち布２，３はパワーネット地により上下布からなり、上布２はＴ字状をしており、二つに分かれた下布３，３をＴ字の下方部２ａの両側に、上方部２ｂには継ぎ合わせ布６を介して下布３と継ぎ合わされる。そして、上下には表布１と同様にレース地が縫い合わされている。【００１９】  前記裏打ち布２の下方部２ａ下端には、股下となるマチ布４を縫いつけこのマチ布を前記表布１と繋ぎ合わせて接合される。【００２０】  図４を更に説明を加える。まず、裏打ち下布３を後ろ中心から前中心まで付け、骨盤の引き締め効果をもたせる。次に、前中心を繋ぎ合わせることで、裏打ち下布３の左右が繋がり、骨盤を安定させる。【００２１】  裏打ち上布２を前中心部分で裏打ち下布３に重ねて取り付け、これにより、裏打ち上布２が腹部を押さえる効果を持つと共に、裏打ち下布３の骨盤引き締め効果も促進することも出来る。図４に示されるように裏打ち布は、矢印方向の引き締め力の働きにより骨盤を緊蹄する。【００２２】  図６において、前布２の上下幅ｔ、縫い合わせの頂点ｎとすると、頂点ｎは上下幅ｔの中点ｃより上方に位置するように配置している。
【図面の簡単な説明】
【００２３】
【図１】  本考案のショーツの正面図
【図２】  同じく背面図
【図３】  表布に裏打ち上布を重ね更に裏打ち下布を重ねた図
【図４】  後ろ中心で解体した図
【図５】  表布、裏打ち上下布の分解図
【図６】  図１に説明を加えた図
【符号の説明】
【００２４】１    ショーツの表布
２    同じく裏打ち上布
２ａ  裏打ち上布の下方部
２ｂ  同じく上方部
３    同じく裏打ち下布
４    マチ布
５    レース
６    継ぎ合わせ布
【図１】
0003170321.tif 000003
【図２】
0003170321.tif 000004
【図３】
0003170321.tif 000005
【図４】
0003170321.tif 000006
【図５】
0003170321.tif 000007
【図６】
0003170321.tif 000008
【手続補正書】
【提出日】平成23年6月20日(2011.6.20)
【手続補正１】
【補正対象書類名】実用新案登録請求の範囲
【補正対象項目名】全文
【補正方法】変更
【補正の内容】
【実用新案登録請求の範囲】
【請求項１】
梯形状に裁断された表布とＴ字状をした裏打ち上布と２分割をし、前記上布の下方部の両端に継ぎ合わせ布を介して縺い合わされた裏打ち下布と、股下となるマチ布とを夫々組み合わせて縫い合わせて構成し、少なくとも裏打ち布はレース、パワーネットなどの伸縮性を備え、上布、下布からなり、前記表布と重ねて上下端縁にレース布と縫い合わされて装飾し、夫々の端部を前部及び後部の中央部にて縫合して構成したことを特徴としてなるフィットショーツ。
【請求項２】
前記表布と裏打ち上布は、夫々の端部を後部において縫い合わされ、その縫い合わせの上端点ｎを上下縫い合わせの中央点ｃより上方になるよう配置したことを特徴としてなる前記請求項１記載のフィットショーツ。
【請求項３】
前記裏打ち上布は、Ｔ字状にして頂縁辺は中央部より両側に高くなるように延び、側縁辺は円弧状に窪んで対称的になり、前記頂縁辺と側縁辺との連結縁辺は外向きの下向きに拡がりを有してなることを特徴とした前記請求項１または２記載のフィットショーツ。
【請求項４】
前記裏打ち上布、及び前記裏打ち下布は、前記表布に比し伸縮性を大きくしたことを特徴とせる前記請求項１〜３のいずれかに記載のフィットショーツ。